(57)【要約】【課題】番組の詳細表示を見るだけでその番組に出演する出演者を容易に認識することができ、ユーザが視聴したいと欲する出演者の出演番組を容易に発見することができる番組情報を作成できる映像機器及び番組情報作成方法を提供する。【解決手段】電子番組情報を取得する電子番組情報取得手段１４と、電子番組表３を作成する電子番組表作成手段１６と、人物の顔写真の画像データとその人物の名前とを関連付けた顔写真データベースが格納されたデータベース格納手段２０と、出演者の名前を抽出する名前抽出手段１７と、顔写真データベースより出演者の顔写真の画像データを抽出する顔写真データ抽出手段１８と、番組詳細表示４を、少なくとも番組名、出演者の顔写真及び名前が含まれるように作成する詳細情報作成手段１９とを備えたＴＶ受像機１。【選択図】図１
2007214708.tif 000002
【特許請求の範囲】
【請求項１】
映像コンテンツを表示するモニタと、
ＴＶ信号を受信し、該ＴＶ信号に含まれる電子番組情報を取得する電子番組情報取得手段と、
前記電子番組情報取得手段で取得された電子番組情報をもとに前記モニタに表示される電子番組表を作成する電子番組表作成手段とを備えたＴＶ受像機であって、
人物の顔写真の画像データとその人物の名前とを関連付けた顔写真データベースが格納されたデータベース格納メモリと、
前記電子番組表の中からユーザに選択された番組の出演者の名前を前記電子番組情報取得手段で取得された電子番組情報から抽出する名前抽出手段と、
前記名前抽出手段で抽出された出演者の名前を参照して、前記顔写真データベースより当該出演者の顔写真データを抽出する顔写真データ抽出手段と、
前記電子番組情報取得手段で取得された電子番組情報と、前記顔写真データ抽出手段で抽出された顔写真の画像データとをもとに、前記電子番組表にかわって前記モニタに表示される番組詳細表示を、少なくとも番組名、出演者の顔写真及び名前が含まれるように作成する詳細情報作成手段と、
可搬性を有する記録媒体にて提供される顔写真の画像データ、インターネット経由で提供される顔写真の画像データ及び前記モニタに表示された映像コンテンツをユーザの指示により静止させることにより当該モニタに表示された顔写真の画像データのいずれかを人物の顔写真の画像データとしてその人物の名前と関連付けて前記顔写真データベースに追加保存する顔写真データベース追加手段とを備えたことを特徴とするＴＶ受像機。
【請求項２】
ＴＶ信号を受信し、該ＴＶ信号に含まれる電子番組情報を取得する電子番組情報取得手段と、
前記電子番組情報取得手段にて取得された電子番組情報をもとに内蔵された又は外部に接続された画像表示装置に表示される電子番組表を作成する電子番組表作成手段とを備えた映像機器であり、
人物の顔写真の画像データとその人物の名前とを関連付けた顔写真データベースが格納されたデータベース格納手段と、
前記電子番組表の中からユーザによって選択された番組の出演者の名前を前記電子番組情報取得手段で取得された電子番組情報から抽出する名前抽出手段と、
前記名前抽出手段で抽出された出演者の名前を参照して、前記顔写真データベースより当該出演者の顔写真の画像データを抽出する顔写真データ抽出手段と、
前記電子番組情報取得手段で取得された電子番組情報と、前記顔写真データ抽出手段で抽出された顔写真の画像データとをもとに、前記内蔵された又は外部に接続された画像表示装置に前記電子番組表にかわって表示される番組詳細表示を、少なくとも番組名、出演者の顔写真及び名前が含まれるように作成する詳細情報作成手段とを備えたことを特徴とする映像機器。
【請求項３】
ユーザより提供される人物の顔写真の画像データとその人物の名前とを関連付けて新たなデータとして前記顔写真データベースに追加保存する顔写真データベース追加手段を備えたことを特徴とする請求項２に記載の映像機器。
【請求項４】
前記ユーザより提供される人物の顔写真の画像データは、可搬性を有する記録媒体に記録されて提供される顔写真の画像データであることを特徴とする請求項３に記載の映像機器。
【請求項５】
前記ユーザより提供される人物の顔写真の画像データは、インターネットを経由して提供される顔写真の画像データであることを特徴とする請求項３に記載の映像機器。
【請求項６】
前記ユーザより提供される人物の顔写真の画像データは、前記内蔵された又は外部に接続された画像表示装置に表示されている映像コンテンツをユーザの指定により静止させることにより当該画像表示装置に表示された顔写真の画像データであることを特徴とする請求項３に記載の映像機器。
【請求項７】
人物の顔写真の画像データとその人物の名前とを関連付けた顔写真データベースが格納されたデータベース格納手段を備えた映像機器における番組情報作成方法であって、
ＴＶ信号を受信し、該ＴＶ信号に含まれる電子番組情報を取得する電子番組情報取得工程と、
前記電子番組情報取得工程にて取得された電子番組情報をもとに電子番組表を作成する電子番組表作成工程とを備え、
前記電子番組表の中からユーザによって選択された番組の出演者の名前を前記電子番組情報取得工程で取得された電子番組情報から抽出する名前抽出工程と、
前記名前抽出工程で抽出された出演者の名前を参照して、前記顔写真データベースより当該出演者の顔写真の画像データを抽出する顔写真データ抽出工程と、
前記電子番組情報取得工程で取得された電子番組情報と、前記顔写真データ抽出工程で抽出された顔写真の画像データとをもとに、番組詳細表示を、少なくとも番組名、出演者の顔写真及び名前が含まれるように作成する詳細情報作成工程とを備えたことを特徴とする番組情報作成方法。
【請求項８】
ユーザより提供される人物の顔写真の画像データとその人物の名前とを関連付けて新たなデータとして前記顔写真データベースに追加保存する顔写真データベース追加工程を備えたことを特徴とする請求項７に記載の番組情報作成方法。
【請求項９】
前記ユーザより提供される人物の顔写真の画像データは、可搬性を有する記録媒体に記録されて提供される顔写真の画像データであることを特徴とする請求項８に記載の番組情報作成方法。
【請求項１０】
前記ユーザより提供される人物の顔写真の画像データは、インターネットを経由して提供される顔写真の画像データであることを特徴とする請求項８に記載の番組情報作成方法。
【請求項１１】
前記ユーザより提供される人物の顔写真の画像データは、前記映像機器に内蔵された又は外部に接続された画像表示装置に表示されている映像コンテンツをユーザの指定により静止させることにより当該画像表示装置に表示された顔写真の画像データであることを特徴とする請求項８に記載の番組情報作成方法。
【発明の詳細な説明】
【技術分野】
【０００１】
本発明は、テレビ放送における電子番組情報を取得し、ユーザにより選択された番組の詳細情報表示にその番組の出演者の顔写真を挿入する映像機器及びそれを用いた番組情報作成方法に関するものである。
【背景技術】
【０００２】
現在、ＴＶ受像機、ＨＤＤ内蔵ＤＶＤレコーダ、ＤＶＤレコーダ、ＶＴＲ等の映像機器の多くで電子番組案内（Ｅｌｅｃｔｒｏｎｉｃ  Ｐｒｏｇｒａｍ  Ｇｕｉｄｅ：以下、ＥＰＧという）が利用されている。前記ＥＰＧは、放送局から送信されてくる電子化された番組案内情報（以下、ＥＰＧ情報という）を受信し、モニタ等の画面上に番組表等を表示するサービスである。前記ＥＰＧ情報は、テレビ番組の放送予定の情報であり、番組の放送予定日、放送開始時間、放送終了時間、放送チャンネル、番組名、出演者等の情報が各番組ごとに備えられているものである。
【０００３】
図２ＥＰＧデータに基づいた番組表の一例を、図９に従来の番組の詳細表示の一例を示す。図２に示す電子番組表３は、横軸を時間軸とし、縦軸をチャンネルとしたものである。すなわち、電子番組表３は、受信番組表示欄３１、日付表示欄３２、時間表示欄３３、番組表示欄３４及びチャンネル表示欄３５とが備えられ、ユーザは図示を省略したリモートコントローラ、同じく図示を省略した映像機器に備えられた操作パネル等を利用して、縦方向及び横方向にスクロールすることができる。電子番組表３ではで表示される番組表の時間、日付を変えることができ、縦方向にスクロールすることでチャンネルを変更できる。電子番組表３にはカーソル３６を移動させて任意の時間帯、任意のチャンネルで放送されている（又は放送される）番組を選択することができる。番組を選択することで電子番組表３から詳細表示９に切り替わる。
【０００４】
図９に示すように詳細表示９は、チャンネル表示欄９１、番組名表示欄９２、時間表示欄９３、出演者表示欄９４及び内容表示欄９５が備えられている。ここでは、チャンネルＣｈ１のＰｒｏｇｒａｍ１が選択されているものとする。番組名表示欄９２には選択された番組名及びそのジャンルが表示される。時間表示欄９３には番組の放送日、放送曜日、放送時間が表示される。出演者表示欄９４には出演者（主要な出演者）の名前が表示される。監督、脚本家等の名前が表示される場合もある。内容表示欄９５には、その番組の背景（例えば、連続ドラマの場合これまでのあらすじ及びこの放送回のあらすじ等、スポーツの場合対戦するチームの成績、順位等）が表示される。
【０００５】
また詳細表示９は複数の選択可能なボタンを備えており、詳細表示されている番組を視聴することを決定する決定ボタン９６、視聴を予約するための予約ボタン９７、電子番組表３に戻るための戻るボタン９８を備えている。詳細表示９では、番組名、時間、出演者、内容等各表示欄で提供される情報は文字で表示されている。しかしながら、文字だけの情報ではユーザが内容を理解できない場合がある。
【０００６】
そこで、特開２０００−３５８２００号公報に記載の発明では、ＥＰＧ画面（電子番組表）に、各番組に対応するシンボルを表示する電子番組情報表示装置が示されている。この電子番組情報表示装置では、電子番組表で表示される番組に、番組を連想できるシンボルを配置し、文字による情報を読まなくても番組の内容を容易に理解できるようになっている。前記シンボルは予め用意されたデータベースより取り出されるようになっている。
【０００７】
また、特開２００１−５４０９１号公報に記載の発明では、番組の詳細情報（ここでは、洋画の番組情報）を表示するものが挙げられており、詳細情報には更に詳しい情報がリンクされており、そのリンクを開くことで、出演俳優の顔写真とプロフィールが表示されるものが示されている。これら出演俳優の顔写真、プロフィール等の追加的な情報は番組情報とは別の伝送媒体を用いて伝送するようになっている。
【特許文献１】特開２０００−３５８２００号公報
【特許文献１】特開２００１−５４０９１号公報
【発明の開示】
【発明が解決しようとする課題】
【０００８】
しかしながら、出演者表示欄９４に記載される出演者の名前だけではその出演者の顔が思い出せない場合があり、すなわち、名前と顔が一致しない若しくは顔を忘れた場合、出演者表示欄９４に記載されている出演者の名前はユーザにとって意味のない情報となってしまう場合がある。
【０００９】
また、特開２０００−３５８２００号公報に記載の発明では、シンボルを表示するのでユーザは番組の内容を認識することはできるが出演者を特定することができない。また、短時間に番組が切り替わる時間帯では番組表内にシンボルを表示することができるスペースを確保できず、シンボル表示が行われない。すなわち、文字表示ベースの従来の番組表示と同じ表示になる。
【００１０】
また、特開２００１−５４０９１号公報では、詳細表示を行い、出演俳優の顔写真等の追加的な情報を表示するが、この顔写真、プロフィール等は番組表を格納したＥＰＧデータとは異なる伝送媒体にて伝送されてくるものであり、大量のデータ転送が必要となる。
【００１１】
そこで本発明は、番組の詳細表示を見るだけでその番組に出演する出演者を容易に認識することができ、ユーザが視聴したいと欲する出演者の出演番組を容易に発見することができる番組情報を作成できる映像機器及び番組情報作成方法を提供することを目的とする。
【００１２】
また、ユーザが気に入っている人物で顔は知っているが、名前を知らない又は名前を忘れた人物が出演している番組を見逃す又は録画し忘れる等の不具合が発生するのを防ぐことを目的とする。
【課題を解決するための手段】
【００１３】
上記目的を達成するために本発明は、ＴＶ信号を受信し、該ＴＶ信号に含まれる電子番組情報を取得する電子番組情報取得手段と、前記電子番組情報取得手段にて取得された電子番組情報をもとに内蔵された又は外部に接続された画像表示装置に表示される電子番組表を作成する電子番組表作成手段とを備えた映像機器であり、人物の顔写真の画像データとその人物の名前とを関連付けた顔写真データベースが格納されたデータベース格納手段と、前記電子番組表の中からユーザによって選択された番組の出演者の名前を前記電子番組情報取得手段で取得された電子番組情報から抽出する名前抽出手段と、前記名前抽出手段で抽出された出演者の名前を参照して、前記顔写真データベースより当該出演者の顔写真の画像データを抽出する顔写真データ抽出手段と、前記電子番組情報取得手段で取得された電子番組情報と、前記顔写真データ抽出手段で抽出された顔写真の画像データとをもとに、前記内蔵された又は外部に接続された画像表示装置に前記電子番組表にかわって表示される番組詳細表示を、少なくとも番組名、出演者の顔写真及び名前が含まれるように作成する詳細情報作成手段とを備えたことを特徴とする。
【００１４】
この構成によると、番組の詳細表示をするときにその番組に出演する出演者の名前と顔写真を表示することで、ユーザが簡単且つ素早く出演者を認識することができ、ユーザの番組選択を容易にすることができる。また、番組の詳細表示に顔写真をつけることで、良く似た名前の異なる人物或いは同姓同名の人物が出演している番組があっても、ユーザが視聴したいと欲する出演者の番組を正確に選択することができる。
【００１５】
上記構成において、ユーザより提供される人物の顔写真の画像データとその人物の名前とを関連付けて新たなデータとして前記顔写真データベースに追加保存する顔写真データベース追加手段を備えていてもよい。
【００１６】
このとき、前記ユーザより提供される人物の顔写真の画像データは、可搬性を有する記録媒体に記録されて提供される顔写真の画像データ、インターネットを経由して提供される顔写真の画像データ及び前記内蔵された又は外部に接続された画像表示装置に表示されている映像コンテンツをユーザの指定により静止させることにより当該画像表示装置に表示された顔写真の画像データを挙げることができる。
【００１７】
この構成によると、顔写真の画像データを追加することができるので、前記顔写真データベースに格納されていない人物であっても、前記番組の詳細表示に顔写真を表示することができる。また、既に顔写真データベースに格納されている人物の顔写真であっても、ユーザの好みに合う顔写真の画像データと入れ替えることで、前記番組の詳細表示にユーザの好みの顔写真を表示することも可能である。
【００１８】
更に詳しく説明すると、映像コンテンツを表示するモニタと、ＴＶ信号を受信し、該ＴＶ信号に含まれる電子番組情報を取得する電子番組情報取得手段と、前記電子番組情報取得手段で取得された電子番組情報をもとに前記モニタに表示される電子番組表を作成する電子番組表作成手段とを備えたＴＶ受像機であって、人物の顔写真の画像データとその人物の名前とを関連付けた顔写真データベースが格納されたデータベース格納メモリと、前記電子番組表の中からユーザに選択された番組の出演者の名前を前記電子番組情報取得手段で取得された電子番組情報から抽出する名前抽出手段と、前記名前抽出手段で抽出された出演者の名前を参照して、前記顔写真データベースより当該出演者の顔写真データを抽出する顔写真データ抽出手段と、前記電子番組情報取得手段で取得された電子番組情報と、前記顔写真データ抽出手段で抽出された顔写真の画像データとをもとに、前記電子番組表にかわって前記モニタに表示される番組詳細表示を、少なくとも番組名、出演者の顔写真及び名前が含まれるように作成する詳細情報作成手段と、可搬性を有する記録媒体にて提供される顔写真の画像データ、インターネット経由で提供される顔写真の画像データ及び前記モニタに表示された映像コンテンツをユーザの指示により静止させることにより当該モニタに表示された顔写真の画像データのいずれかを人物の顔写真の画像データとしてその人物の名前と関連付けて前記顔写真データベースに追加保存する顔写真データベース追加手段とを備えたものであってもよい。
【００１９】
上記目的を達成するために本発明は、人物の顔写真の画像データとその人物の名前とを関連付けた顔写真データベースが格納されたデータベース格納手段を備えた映像機器における番組情報作成方法であって、ＴＶ信号を受信し、該ＴＶ信号に含まれる電子番組情報を取得する電子番組情報取得工程と、前記電子番組情報取得工程にて取得された電子番組情報をもとに電子番組表を作成する電子番組表作成工程とを備え、前記電子番組表の中からユーザによって選択された番組の出演者の名前を前記電子番組情報取得工程で取得された電子番組情報から抽出する名前抽出工程と、前記名前抽出工程で抽出された出演者の名前を参照して、前記顔写真データベースより当該出演者の顔写真の画像データを抽出する顔写真データ抽出工程と、前記電子番組情報取得工程で取得された電子番組情報と、前記顔写真データ抽出工程で抽出された顔写真の画像データとをもとに、番組詳細表示を、少なくとも番組名、出演者の顔写真及び名前が含まれるように作成する詳細情報作成工程とを備えたことを特徴とする。
【００２０】
上記構成において、ユーザより提供される人物の顔写真の画像データとその人物の名前とを関連付けて新たなデータとして前記顔写真データベースに追加保存する顔写真データベース追加工程を備えていてもよい。
【００２１】
このとき、前記ユーザより提供される人物の顔写真の画像データは、可搬性を有する記録媒体に記録されて提供される顔写真の画像データ、インターネットを経由して提供される顔写真の画像データ及び前記内蔵された又は外部に接続された画像表示装置に表示されている映像コンテンツをユーザの指定により静止させることにより当該画像表示装置に表示された顔写真の画像データを挙げることができる。
【発明の効果】
【００２２】
本発明によると、番組の詳細表示を見るだけでその番組に出演する出演者を容易に認識することができ、ユーザが視聴したいと欲する出演者の出演番組を容易に発見することができる番組情報を作成できる映像機器及び番組情報作成方法を提供することができる。
【００２３】
また本発明によると、ユーザが気に入っている人物で顔は知っているが、名前を知らない又は名前を忘れた人物が出演している番組を見逃す又は録画し忘れる等の不具合が発生するのを防ぐことができる。
【発明を実施するための最良の形態】
【００２４】
以下に本発明の実施形態を図面を参照して説明する。図１に本発明にかかる映像機器の一例のブロック図を示す。
【００２５】
図１のブロック図に示す映像機器はＴＶ放送を受信するＴＶ受像機である。ＴＶ受像機１は、少なくとも、制御部１１、受信部１２、信号処理部部１３、電子番組情報取得部１４、メモリ１５、電子番組表作成部１６、出演者名抽出部１７、顔写真データ抽出部１８、番組詳細表示作成部１９、顔写真データベースメモリ２０、操作入力部２１、切替部２２、およびモニタ２３を含むように構成されている。
【００２６】
制御部１１はＴＶ受像機１の各部の駆動を有機的に制御することにより映像情報処理（映像コンテンツ、電子番組表、番組詳細情報表示等の表示処理等）を統括制御するための中央処理装置である。
【００２７】
受信部１２はアンテナＡＮＴと接続しており、テレビ信号を受信するものである。受信部１２は受信したテレビ信号を電子番組情報取得部１４に渡すものである。電子番組情報取得部１４はテレビ信号に含まれる電子番組情報（Ｅｌｅｃｔｒｏｎｉｃ  Ｐｒｏｇｒａｍ  Ｇｕｉｄｅ：以下、ＥＰＧデータという）を抽出し、取得するものである。
【００２８】
電子番組情報取得部１４はテレビ信号よりＥＰＧデータを抽出し、信号処理部１３に渡す。信号処理部１３では、送られてきたテレビ信号を処理し、コンテンツデータとして切替部２２に渡す。例えばデジタル放送を受信するＴＶ受像機の場合、信号処理部１３はＭＰＥＧ２等の圧縮形式で圧縮されて送られてきたデータを伸長するデコーダである。またそれに限定されるものではなく、ＴＶ受像機１で扱うのに適した信号又はデータに変換するものを広く採用することができる。
【００２９】
メモリ１５は、ＴＶ受像機１が保持する各種データを一時的に記憶する媒体であり、例えば書込可能なＲＡＭ（Ｒａｎｄｏｍ  Ａｃｃｅｓｓ  Ｍｅｍｏｒｙ）等により構成されている。メモリ１５は、例えば制御部１１によって各種情報処理が行われる際の処理データや、電子番組情報取得部１４より渡されるＥＰＧデータを一時的に記憶しておくためのバッファメモリとしての役割を持つ。
【００３０】
電子番組表作成部１６はメモリ１５に記憶されている文字データであるＥＰＧデータをもとに、後述の図２に示すような電子番組表１５を作成するものである。また、出演者名抽出部１７はメモリ１５に記憶されているＥＰＧデータより各番組の出演者名を抽出し制御部１１に渡すものである。
【００３１】
顔写真データ抽出部１８は、制御部１１より出演者名が送られてくると、後述の顔写真データベースメモリ２０にアクセスし、その出演者名と関連付けられた人物の顔写真の画像データを抽出し、その顔写真データを名前とともに番組詳細表示作成部１９に渡す。番組詳細表示作成部１９はメモリ１５から渡されるＥＰＧデータに基づいた番組の詳細データと、顔写真データ抽出部１８より渡される顔写真データとを基に後述する番組詳細表示４のデータを作成し切替部２２に渡す。
【００３２】
顔写真データベースメモリ２０は、人物の顔写真の画像データ（例えば、ＰＮＧ形式、ＪＰＥＧ形式、ビットマップ形式等）とその人物の名前とが関連付けられて格納された顔写真データベースが備えられたメモリである。顔写真データベースメモリ２０は、ＴＶ受像機１に予め備えられているものである。顔写真データベースメモリ２０はＴＶ受像機１の電源をＯＦＦにしたときでも、その顔写真データベースが削除されないものであり、ここでは、読出し専用のＲＯＭ（Ｒｅａｄ  Ｏｎｌｙ  Ｍｅｍｏｒｙ）を採用している。また、それに限定されるものではなく、例えばフラッシュメモリ等の電力の供給が停止されても記録されているデータが消失しない記録媒体を広く採用することができる。
【００３３】
切替部２２は信号処理部１３より渡される映像コンテンツのデータ、電子番組表作成部１６より渡される電子番組表３及び番組詳細表示作成部１９より渡される番組詳細表示４のうちいずれかを映像音声信号として後述するモニタ２３に渡すものである。また、切替部２２は信号処理部１３より渡された映像コンテンツと電子番組表又は番組詳細表示とをモニタ２３で同時に表示することができるように合成することもできる。
【００３４】
切替部２２はモニタ２３に渡す電子番組表及び番組詳細表示をモニタ２３の表示形式に合うように変換する機能も備えている。例えば、モニタ２３がＮＴＳＣ形式のＣＲＴの場合、入力された各データをＮＴＳＣ形式のアナログ映像音声信号に変換するＮＴＳＣエンコーダを備えているものを挙げることができる。また、これに限定されるものではなく、モニタ２３の表示形式に合致した形式に変換することができるものを広く採用することができる。
【００３５】
モニタ２３はここではＴＶ受像機１の画面表示装置であり、切替部２２より渡された映像音声信号を受け取り、映像を表示するものである。また、図示を省略したスピーカにて音声の出力も行われるようになっている。
【００３６】
操作入力部２１は、ユーザが番組の記録および記録予約等の各種指示をＴＶ受像機１に対して行うための入力インターフェースである。例えば、ＴＶ受像機１の正面に設けられた操作ボタン群（図示省略）やリモートコントローラ（図示省略）等を挙げることができる。
【００３７】
図２にＥＰＧデータに基づいて作成され、ＴＶ受像機のモニタに表示される番組表の一例を、図３に番組詳細表示の一例を示す。図２に示す電子番組表３は従来のＴＶ受像機にて用いられている電子番組表と同じである。すなわち、電子番組表３は、横軸を時間軸とし、縦軸をチャンネルとしたものである。電子番組表３は、受信番組表示欄３１、日付表示欄３２、時間表示欄３３、番組表示欄３４及びチャンネル表示欄３５とが備えられ、ユーザは操作入力部２１を利用して、縦方向及び横方向にスクロールすることができる。電子番組表３では表示される番組表の時間、日付を変えることができ、縦方向にスクロールすることでチャンネルを変更できる。
【００３８】
受信番組表示欄３１には現在、受信部１２で受信している番組のコンテンツが再生される。日付表示欄３２は電子番組表３に表示されている番組の放送の日付が表示される。時間表示欄３３は番組表示欄３４の表示開始時間（番組表示欄３４の左端の時間）が表示される。番組表示欄３４は、ユーザの選択による任意の時間から３時間後までの各チャンネルごとの番組の放送時間を表示するものであり、番組名（図に示すＰｒｏｇｒａｍ１、Ｐｒｏｇｒａｍ２等）が表示される。チャンネル表示欄３５にはＴＶ受像機１で受信可能なチャンネルを表示することができる。
【００３９】
電子番組表３ではカーソル３６を移動させて任意の時間帯、任意のチャンネルで放送されている（又は放送される）番組を選択することができる。番組を選択することで電子番組表３から番組詳細表示４に切り替わる。カーソル３６はここでは矩形状の線描画のものを例示しているが、それに限定されるものではなく、番組表時欄３４に表示されているプログラムを示す帯状部に着色し反転するもの等、ユーザにプログラムが選択されていることを容易にわからせることができるものを広く採用することができる。
【００４０】
図３に示すように番組詳細表示４は、チャンネル表示欄４１、番組名表示欄４２、時間表示欄４３、出演者表示欄４４及び内容表示欄４５が備えられている。チャンネル表示欄４１には選択された番組が放送されるチャンネルが表示される。番組名表示欄４２には選択された番組名及びそのジャンルが表示される。時間表示欄４３には番組の放送日、放送時間が表示される。出演者表示欄４２には出演者（主要な出演者）の名前Ｎ１及び顔写真Ｐｈ１が表示される。出演者が多く、出演者表示欄４４に名前Ｎ１及び顔写真Ｐｈ１が表示できない場合、名前Ｎ１及び顔写真Ｐｈ１が出演者表示欄４４内でスクロールするように表示される。番組が映画やドラマの場合、出演者表示欄４４に監督、脚本家等の名前及び顔写真が表示される場合もある。内容表示欄４５には、その番組の背景（例えば、連続ドラマの場合これまでのあらすじ及びこの放送回のあらすじ等、スポーツの場合対戦するチームの成績、順位等）が表示される。
【００４１】
また番組詳細表示４は複数の選択可能なボタンを備えており、詳細表示されている番組を視聴することを決定する決定ボタン４６、視聴を予約するための予約ボタン４７、電子番組表３に戻るための戻るボタン４８を備えている。
【００４２】
図示は省略したが、番組詳細表示４においても、電子番組表３に示す受信番組表示欄３１を備え、モニタ２３に番組詳細表示４を表示している間に、現在受信している番組の映像コンテンツを表示できるようにしてもよい。
【００４３】
次に本発明にかかるＴＶ受像機の動作を説明する。図４はＴＶ受像機で番組詳細表示を行うときのフローチャートである。
【００４４】
制御部１１はユーザの指示を操作入力部２１を介して受け取り、制御部１１はユーザの指示に従って受信部１２を制御してＴＶ信号を受信する（ステップＳ１１）。受信されたテレビ信号は電子番組情報取得部１４に送られ、電子番組情報取得部１４でテレビ信号に含まれるＥＰＧデータが抽出される（ステップＳ１２）。電子番組情報取得部１４で取得されたＥＰＧデータはメモリ１５に保存され、電子番組表作成部１６は制御部１１の制御によって、メモリ１５に保存されたＥＰＧデータをもとに、電子番組表３を作成する（ステップＳ１３）。
【００４５】
電子番組表作成部１６にて作成された電子番組表３は切替部２２を介して、信号処理部１３よりのコンテンツデータと合成されて又は単独で、モニタ２３に送られ表示される（ステップＳ１４）。モニタ２３に表示された電子番組表３の中に表示されている番組より操作入力部２１を介してユーザが所望する番組が選択されたかどうか確認する（ステップＳ１５）。番組が選択されていない場合（ステップＳ１５でＮＯの場合）、ユーザによって電子番組表３の表示の終了が選択されたかどうか確認する（ステップＳ１６）。電子番組表３の表示の終了が選択された場合（ステップＳ１６でＹＥＳの場合）、終了し、選択されていない場合（ステップＳ１６でＮＯの場合）、電子番組表３の表示を続け、ステップＳ１５に戻り、ユーザの選択を確認する。
【００４６】
ユーザが所望する番組が選択されたことが確認されると（ステップＳ１５でＹＥＳ）、制御部１１はユーザの選択にあわせて、メモリ１５に保存されているＥＰＧデータの中より、ユーザの選択にあった番組の詳細情報を出演者名抽出部１７及び番組詳細表示作成部１９に渡す（ステップＳ１７）。番組の詳細情報を渡された出演者名抽出部１７はその詳細情報の中から出演者名を抽出し制御部１１に送る（ステップＳ１８）。
【００４７】
制御部１１は出演者名抽出部１７より抽出された出演者名を顔写真データ抽出部１８に渡し、顔写真データ抽出部１８は顔写真データベースメモリ１５にアクセスし、当該出演者名と一致する顔写真の画像データを番組詳細表示作成部１９に送る（ステップＳ１９）。制御部１１は番組詳細表示作成部１９にユーザの選択した番組の番組詳細表示４をステップＳ１７でメモリ１５より渡された番組の詳細情報とステップＳ１９で顔写真データ抽出部１８より渡された出演者の顔写真の画像データとをもとに作成するように指示を出す（ステップＳ２０）。このとき番組詳細表示４は図３に示すものであるが、これに限定されるものではなく、少なくとも、番組名表示欄４２、出演者の顔写真Ｐｈ１及び氏名Ｎ１を表示できる出演者表示欄４４を備えるものを広く採用することができる。
【００４８】
番組詳細表示作成部１９にて作成された番組詳細表示４は、切替部２２に送られ、電子番組表３の替わりに、信号処理部１３より渡されるコンテンツデータと合成されて又は単独で、モニタ２３に送られ、モニタ２３に表示される（ステップＳ２１）。
【００４９】
上述したような番組詳細表示４では、出演者表示欄４４に出演者の名前及び顔写真Ｐｈ１が表示されるので、出演者表示欄４４に名前しか知らない又は顔が思い出せない出演者の名前がある場合でも、顔写真Ｐｈ１が表示されるので出演者の顔と名前が一致し、ユーザが視聴する番組を選択するときに選択しやすい。
【００５０】
図５に本発明にかかる映像機器の他の例のブロック図を示す。図５に示す映像機器はＨＤＤ内蔵ＤＶＤレコーダ５である。図５に示すＨＤＤ内蔵ＤＶＤレコーダ５は、少なくとも、制御部１１、電子番組情報取得部１４、メモリ１５、電子番組表作成部１６、出演者名抽出部１７、顔写真データ抽出部１８、番組詳細表示作成部１９、ＨＤＤ５１、顔写真データベース５２、操作入力部２１、切替部２２、受信部１２、信号処理部１３、データ出力部５３及びＤＶＤ処理部５４を含むように構成されている。
【００５１】
制御部１１、メモリ１５、電子番組表作成部１６、出演者名抽出部１７、顔写真データ抽出部１８、番組詳細表示作成部１９、操作入力部２１、受信部１２及び信号処理部１３に関しては図１に示すＴＶ受像機１と実質上同一であり、同一の部分には同じ符号が付してある。
【００５２】
ＨＤＤ５１は、ＨＤＤ内蔵ＤＶＤレコーダ５が保持する各種データ（映像情報、コンテンツ情報等）を記録するための磁気記録媒体である。なお、ＨＤＤ５１は、複数の領域（パーティション）に物理的に分割することが可能であり、記憶するデータの種別（映像情報、コンテンツ情報等）に応じて領域別に記憶することがより望ましい。
【００５３】
顔写真データベース５２はそれには限定されないが、ここではＨＤＤ５１に記録されたデータベースである。ＨＤＤ５１は記録及びデータの保護が容易であるので、顔写真データベース５２に新たに人物の顔写真の画像データとその人物の名前を関連付けて追加保存することができる。この追加保存の方法については後述する。
【００５４】
切替部２２は信号処理部１３より渡される映像コンテンツのデータ、電子番組表作成部１６より渡される電子番組表及び番組詳細表示作成部１９より渡される番組詳細表示のうちいずれかを映像音声信号として後述するモニタ２３に渡すものである。また、切替部２２は信号処理部１３より渡された映像コンテンツと電子番組表又は番組詳細表示とを外部映像表示装置で同時に表示することができるように合成することもできる。
【００５５】
データ出力部５３は、例えば外部映像表示装置（ここでは、モニタ２３）に対して映像データおよび音声データを出力するための出力インターフェースである。なお、例えばモニタ２３がアナログインタフェースしか備えていない場合は、Ｄ／Ａコンバータを用いてデジタルの映像データおよび音声データをアナログデータに変換して出力することが可能である。
【００５６】
ＤＶＤ処理部５４はＨＤＤ内蔵ＤＶＤレコーダ５の外部よりＤＶＤメディアＤｍを挿入することができるようになっている。ＤＶＤメディアＤｍを挿入し、ＤＶＤメディアＤｍに対してレーザ光を照射することでＤＶＤメディアＤｍに記録されているデータを読み出したり、ＤＶＤメディアＤｍにデータを記録したりすることができる。ＤＶＤには複数の規格が存在しており、規格に対応したＤＶＤメディアを使用した場合、記録、読出等の処理を行うことができる。
【００５７】
次に本発明にかかるＨＤＤ内蔵ＤＶＤレコーダの動作を説明する。なお、電子番組表及び番組詳細表示４は、図２及び図３に示すものと同じものを表示するものである。ＨＤＤ内蔵ＤＶＤレコーダを用いて番組詳細表示を行う方法は図１に示すＴＶ受像機１を用いて番組詳細表示を行う方法と略同じであり、切替部２２がデータ出力部５３を介して外部に接続されたモニタ２３に映像コンテンツ、電子番組表３及び番組詳細表示４を表示するものである。
【００５８】
ＨＤＤ内蔵ＤＶＤレコーダ５に備えられた顔写真データベース５２は、記録可能なＨＤＤ５１に記録されている。顔写真データベース５２がＨＤＤ５１に記録されているので、ユーザは新たに顔写真の画像データとその名前を関連付けることで、顔写真データベース５２に新たな人物のデータを登録することができる。図６〜図８に図５に示すＨＤＤ内蔵ＤＶＤレコーダを用いて顔写真データベースに顔写真の画像データを追加する方法の概略図を示す。ここで、顔写真データベースの概略を示しているが、この図に示す顔写真データベースはイメージ図であり、実際のデータベースとは異なる。
【００５９】
図６に示す顔写真データベースの追加方法は、ＤＶＤメディアＤｍに記録されている人物の顔写真の画像データを顔写真データベース５２に追加するものである。まず、顔写真の画像データが保存されているＤＶＤメディアＤｍをＤＶＤ処理部５３に挿入する。制御部１１はＤＶＤ処理部５３を制御して、モニタ２３にＤＶＤメディアＤｍに記録されている人物の顔写真の画像データを表示する。このモニタ２３への表示として、モニタ２３に一度に複数枚の画像を表示するサムネイル表示を例示できる。この制御は一般的なＤＶＤプレーヤ等によるメディアの再生方法と同じであり詳細については省略する。
【００６０】
ユーザはモニタ２３を見ながら操作入力部２１を利用して、モニタ２３に表示されている人物のなかから、顔写真データベース５２に追加登録したい顔写真の画像データを選択する。操作入力部２１を介しユーザによる選択の指示を受けると制御部１１は、ＤＶＤメディアＤｍより選択された顔写真の画像データを抽出し、メモリ１５に一時保管する。制御部１１はユーザより操作入力部２１を介して入力された名前Ｎ１を、メモリ１５に一時保管した顔写真の画像データと関連付けてＨＤＤ５１に渡し、ＨＤＤ５１に保存されている顔写真データベース５２に追加保存する。また、予め顔写真の画像データに名前が関連付けられている場合、ユーザによる名前の入力の手間を省くことができる。
【００６１】
これにより、ＤＶＤメディアＤｍに記録されている人物の顔写真の画像データ（顔写真データベース５２の形式とは関係なく）を、顔写真データベース５２に追加することができ、顔写真データベース５２を充実させていくことができる。また、ＤＶＤメディアＤｍに顔写真データベース５２が記録されており、ＨＤＤ５１に保存されている顔写真データベース５２に追加する或いは顔写真データベース５２を入れ替える（更新する）ものであっても良い。ＤＶＤメディアＤｍに記録されている人物の顔写真データＰｈ１は、顔写真データベース５２で利用するために作られているものでも、デジタルカメラやスキャナ等でデータ化された顔写真であってもよい。
【００６２】
図７に示す顔写真データベースの追加方法は、インターネット経由で行われるものである。図５に示すＨＤＤ内蔵ＤＶＤレコーダ５では図示を省略したインターネット接続部を介して、インターネットに接続されている。
【００６３】
ＨＤＤ内蔵ＤＶＤレコーダ５はインターネット上に設置される顔写真データベース５２に登録可能な人物の顔写真の画像データが多数保管されているサーバ６に接続することで、そのサーバに保管されている人物の顔写真の画像データよりユーザの選択する人物の顔写真の画像データＰｈ１を人物の氏名Ｎ１とともに、ＨＤＤ５１に保存されている顔写真データベース５２に追加登録することが可能である。また、サーバ６に顔写真データベース６１が保管されており、ＨＤＤ内蔵ＤＶＤレコーダ５がそのサーバ６に接続したときにサーバ６内の顔写真データベース６１が更新されていれば、ＨＤＤ５１に保存されている顔写真データベース５２に更新された部分を追加記録する。また、追加記録するかわりに顔写真データベース６１をダウンロードし顔写真データベース５２と置き換える更新作業を行うようにしても良い。この場合、ユーザの顔写真データベース５２の追加作業にかかる手間を大幅に減らすことが可能である。
【００６４】
また、任意のサーバに保管されているインターネットサイトに含まれる人物の顔写真の画像データにその人物の名前を関連付けてＨＤＤ５１に保存されている顔写真データベース５２に追加登録するようにしても良い。
【００６５】
図８に示す顔写真データベースの追加方法は、外部画像表示装置（モニタ２３）に表示されているコンテンツ映像を静止（映像がモニタ２３に表示されている状態で一時停止）させ、そのときのモニタ２３に表示されている画像を、人物の顔写真の画像データＰｈ１として取り込み、ユーザが操作入力部２１を介して入力した人物の名前Ｎ１と関連付けて顔写真データベース５２に追加登録するものである。
【００６６】
このとき、コンテンツは通常動画であり、人物の顔写真がアップになった瞬間や、正面を向いた瞬間等のベストタイミングでコンテンツを静止するのは難しい。そこで、前記ベストタイミングの前後で、短い時間サイクルで静止を繰り返しその画像を取り込んでモニタ２３に一覧表示し、その中からユーザの好みに合う画像を人物の顔写真の画像データとするものであってもよい。
【００６７】
上記人物とは個人を含むのは当然であるが、バンド、お笑いコンビ等の複数の人間により構成されるグループも含まれる。
【００６８】
上記実施例において、顔写真データベースを保存する記録媒体として、ＲＯＭ、ＨＤＤを例に説明したが、それに限定されるものではなく、例えば、ＣＤ、ＤＶＤ、フラッシュメモリ等の電力が供給されなくても、記録されている顔写真データベースが消去されない記録媒体を広く採用することができる。追加記録できる記録媒体であれば顔写真データベースに顔写真の画像データを追加できるのでより好ましい。
【００６９】
また、上記実施例では、アンテナＡＮＴでテレビ信号を受信し、そのテレビ信号に含まれるＥＰＧデータを利用するものを例に説明したが、有線放送や光通信によるテレビ放送など、ＥＰＧデータを取得できる放送に対応できる映像機器に広く採用することができる。
【００７０】
さらに、上記実施例においてＤＶＤメディアに記録されている人物の顔写真の画像データを顔写真データベースに追加するものが示されているが、それに限定されるものではなく、人物の顔写真の画像データの記録媒体として、ＣＤ、メモリカード等の可搬性を有する記録媒体を広く採用することができる。
【００７１】
本発明にかかる映像機器を構成する各部は専用のハードウェアを用いてその機能を実現するものであっても良く、ソフトウェア的にその機能を実現するものであってもよい。
【産業上の利用可能性】
【００７２】
本発明はＴＶ信号に含まれるＥＰＧデータを基に電子番組表、番組の詳細表示を行うことができる、ＴＶ受像機、ＤＶＤレコーダ、ＨＤＤレコーダ、ＶＴＲ等の映像機器において利用することが可能である。
【図面の簡単な説明】
【００７３】
【図１】本発明にかかる映像機器の一例のブロック図である。
【図２】ＥＰＧに基づいて作成され、映像機器のモニタに表示される番組表の一例である。
【図３】本発明にかかる映像機器のモニタに表示される番組詳細表示の一例である。
【図４】ＴＶ受像機で番組詳細表示を行うときのフローチャートである。
【図５】本発明にかかる映像機器の他の例のブロック図である。
【図６】図５に示すＨＤＤ内蔵ＤＶＤレコーダを用いて顔写真データベースに顔写真の画像データを追加する方法の一例の概略図である。
【図７】図５に示すＨＤＤ内蔵ＤＶＤレコーダを用いて顔写真データベースに顔写真の画像データを追加する方法の他の例の概略図である。
【図８】図５に示すＨＤＤ内蔵ＤＶＤレコーダを用いて顔写真データベースに顔写真の画像データを追加する方法のさらに他の例の概略図である。
【図９】従来の番組の詳細表示の一例である。
【符号の説明】
【００７４】
１  ＴＶ受像機
１１  制御部
１２  受信部
１３  信号処理部
１４  電子番組情報取得部
１５  メモリ
１６  電子番組表作成部
１７  出演者名抽出部
１８  番組詳細表示作成部
１９  顔写真データベースメモリ
２０  操作入力部
２１  切替部
２２  モニタ
３  電子番組表
３１  受信番組表示欄
３２  日付表示欄
３３  時間表示欄
３４  番組表示欄
３５  チャンネル表示欄
３６  カーソル
４  番組詳細表示
４１  チャンネル表示欄
４２  番組名表示欄
４３  時間表示欄
４４  出演者表示欄
４５  内容表示欄
５  ＨＤＤ内蔵ＤＶＤレコーダ
５１  ＨＤＤ
５２  顔写真データベース
５３  データ出力部
５４  ＤＶＤ処理部
６  サーバ
６１  顔写真データベース
Ｄｍ  ＤＶＤメディア
【図１】
2007214708.tif 000003
【図２】
2007214708.tif 000004
【図３】
2007214708.tif 000005
【図４】
2007214708.tif 000006
【図５】
2007214708.tif 000007
【図６】
2007214708.tif 000008
【図７】
2007214708.tif 000009
【図８】
2007214708.tif 000010
【図９】
2007214708.tif 000011